(57)【特許請求の範囲】
【請求項１】
コンピュータを利用したプリント教材作成装置であって、
予め個々の演習問題の内容データが記憶された演習問題記憶部と、
予め前記個々の演習問題の検索データが記憶された演習問題管理部と、
検索条件を設定する検索条件設定部と、
前記検索条件を記憶し、既に記憶した検索条件があるときは記憶内容を更新する検索条件記憶部と、
前記検索条件記憶部に記憶された検索条件に一致する検索データを前記演習問題管理部から抽出し、前記抽出した検索データに対応する演習問題を前記演習問題記憶部から検索し、検索した演習問題とその検索データをディスプレイに表示する検索部と、
前記検索部によってディスプレイに表示された演習問題から所望の演習問題を選択する演習問題選択部と、
前記演習問題選択部によって演習問題が選択されたとき、前記検索条件記憶部に記憶された検索条件を前記選択された演習問題と関係づけて記録した一時ファイルを作成するとともに、前記一時ファイルのファイル名を記憶する選択演習問題情報記憶部と、
前記演習問題選択部によって選択された演習問題のうち、類題検索する演習問題を指定し、指定した演習問題の前記一時ファイルのファイル名を前記選択演習問題情報記憶部から読み出し、その一時ファイルに記録された検索条件を前記検索条件記憶部に記憶させる類題検索始動部と、
演習問題の検索および選択が終了してプリント教材の作成が完了したとき、前記プリント教材の個々の演習問題の内容および検索条件を記録したプリント教材ファイルを作成するプリント教材ファイル作成部と、
ファイル保存命令を受けたとき、プリント教材ファイルを保存するプリント教材ファイル保存部と、
ファイル読み込み命令を受けたとき、プリント教材ファイルを読み込み、前記読み込んだプリント教材ファイルの内容に基づいて、プリント教材の演習問題および検索データをディスプレイに表示しかつ前記プリント教材の演習問題の検索条件を、それぞれ、その演習問題と関係づけて個々の第２の一時ファイルに記録するプリント教材ファイル処理部と、
前記プリント教材ファイル保存部に対し前記ファイル保存命令を出し、または前記プリント教材ファイル処理部に前記ファイル読み込み命令を出すプリント教材ファイル制御部と、を有し、
前記選択演習問題情報記憶部は、前記プリント教材ファイル処理部から出力された第２の一時ファイルのそれぞれのファイル名を記憶するようになっているものであることを特徴とするプリント教材作成装置。
【発明の詳細な説明】
【０００１】
【発明の属する技術分野】
本発明は、コンピュータを利用したプリント教材作成装置に関するものである。
【０００２】
【従来の技術】
学校教育現場においては、通常、教科書や問題集等の教材を用いて教科指導がなされている。ところが、これらの教材は、画一的であり、地域性や個々の生徒の資質等の差異が考慮されておらず、より生徒に密着した教科指導を行うには不十分である。
そこで、これらの教材を補完する教材が必要とされるが、この補完教材として代表的なものがプリント教材である。
【０００３】
そして、生徒を指導する時期や指導単元等に応じて、プリント教材の内容にその都度修正を加えることが一般になされている。この場合、前に作成し使用したプリントの内容に少し修正を加えることによって、新規のプリントを作成し、それを使用する場合が比較的多い。
【０００４】
それは、例えば、前年度のある学年の生徒に対する指導方針と指導内容および使用プリント教材（定期テスト、実力テスト、補助テスト等）が、本年度の該当学年の生徒に対しても基本的に適用され得るが、本年度の生徒の資質や指導の進捗情況等を総合的に判断して、前年度のプリント教材の内容に若干の修正を加える必要が生じるからである。そして、このプリント教材の修正は、類題の追加や差し替えという形でなされるのが一般的である。
【０００５】
ところが、この類題の追加や差し替えの作業は、煩雑であり長時間を必要とする。なぜなら、修正がなされるプリント教材の演習問題が選ばれた条件（出題意図や難易度等）を念頭に入れながら、複数の教材本を丹念に当たり、その条件を満たす演習問題を捜し出さねばならないからである。
しかも、プリント教材の修正は、限られた時間内で行われねばならない。
【０００６】
【発明が解決しようとする課題】
したがって、本発明の課題は、コンピュータを用いて、教材プリント中の各演習問題に対する類題を検索して選択し、選択した類題を前の問題と差し替えまたは追加することが迅速かつ簡単に行えるようにすることにある。
【０００７】
【課題を解決するための手段】
上記課題は、本発明によれば、コンピュータを利用したプリント教材作成装置であって、予め個々の演習問題の内容データが記憶された演習問題記憶部と、予め前記個々の演習問題の検索データが記憶された演習問題管理部と、検索条件を設定する検索条件設定部と、前記検索条件を記憶し、既に記憶した検索条件があるときは記憶内容を更新する検索条件記憶部と、前記検索条件記憶部に記憶された検索条件に一致する検索データを前記演習問題管理部から抽出し、前記抽出した検索データに対応する演習問題を前記演習問題記憶部から検索し、検索した演習問題とその検索データをディスプレイに表示する検索部と、前記検索部によってディスプレイに表示された演習問題から所望の演習問題を選択する演習問題選択部と、前記演習問題選択部によって演習問題が選択されたとき、前記検索条件記憶部に記憶された検索条件を前記選択された演習問題と関係づけて記録した一時ファイルを作成するとともに、前記一時ファイルのファイル名を記憶する選択演習問題情報記憶部と、前記演習問題選択部によって選択された演習問題のうち、類題検索する演習問題を指定し、指定した演習問題の前記一時ファイルのファイル名を前記選択演習問題情報記憶部から読み出し、その一時ファイルに記録された検索条件を前記検索条件記憶部に記憶させる類題検索始動部と、演習問題の検索および選択が終了してプリント教材の作成が完了したとき、前記プリント教材の個々の演習問題の内容および検索条件を記録したプリント教材ファイルを作成するプリント教材ファイル作成部と、ファイル保存命令を受けたとき、プリント教材ファイルを保存するプリント教材ファイル保存部と、ファイル読み込み命令を受けたとき、プリント教材ファイルを読み込み、前記読み込んだプリント教材ファイルの内容に基づいて、プリント教材の演習問題および検索データをディスプレイに表示しかつ前記プリント教材の演習問題の検索条件を、それぞれ、その演習問題と関係づけて個々の第２の一時ファイルに記録するプリント教材ファイル処理部と、前記プリント教材ファイル保存部に対し前記ファイル保存命令を出し、または前記プリント教材ファイル処理部に前記ファイル読み込み命令を出すプリント教材ファイル制御部と、を有し、前記選択演習問題情報記憶部は、前記プリント教材ファイル処理部から出力された第２の一時ファイルのそれぞれのファイル名を記憶するようになっているものであることを特徴とするプリント教材作成装置によって解決される。
【０００９】
【発明の実施の形態】
以下、添付図面を参照しながら本発明の好ましい実施例について説明する。
図１は、本発明の１実施例によるプリント教材作成装置のハードウェア構成図であり、図２は、図１のプリント教材作成装置によって実行される処理のフローチャートであり、図３〜図６は、図２の処理が実行される間にディスプレイ画面上になされる表示の代表例を示した図である。
なお、この実施例では、本発明のプリント教材作成装置によって大学受験用の数学プリント教材が作成されるようになっている。
【００１０】
本発明のプリント教材作成装置は、プログラムされたコンピュータを利用したものである。以下に、本発明のプリント教材作成装置によって実行される処理を説明する。
【００１１】
図１および図２を参照して、演習問題記憶部１には予め個々の演習問題の内容データが記憶され、演習問題管理部２には、演習問題記憶部１に記憶された個々の演習問題の検索データが予め記憶されている。
【００１２】
本発明の装置によって実行される処理の流れは、後述するプリント教材ファイル（以下、「ＰｒｉｎＴファイル」という。）が最初に読み込まれる場合と読み込まれない場合によって大きく２つに分かれるようになっている（図２のＳ１参照）。
第１に、ＰｒｉｎＴファイルが読み込まれない場合の処理の流れについて説明する。
【００１３】
まず、検索条件設定部３によって検索条件が設定される（図２のＳ２参照）。この処理は次のようになされる。すなわち、図３に示したように、ディスプレイ１６に検索条件を設定するための画面が表示され、この画面中において予め用意された複数の検索項目グループ（科目、単元、テーマ、難易度、キーワードおよび追加条件）のうちの少なくとも１つのグループにおいて、少なくとも１つの検索項目がマウスによって指定されることにより、検索条件が設定される。なお、図３の画面において、指定された検索項目は白黒反転表示されるようになっている。
【００１４】
検索条件設定部３によって演習問題の検索条件が設定されると、その検索条件は検索条件記憶部４に記憶される（図２のＳ３参照）。このとき、検索条件記憶部４は、既に記憶した検索条件があるときは記憶内容を更新するようになっている。
【００１５】
次いで、検索部５は、演習問題管理部２から、検索条件記憶部４に記憶された検索条件に一致する検索データを抽出し、抽出した検索データに対応する演習問題を演習問題記憶部１から検索し（図２のＳ４参照）、その結果（検索した演習問題とその検索データ）をディスプレイ１６に表示する（図２のＳ５参照）。
【００１６】
図４には、検索部５による検索結果がディスプレイ１６に表示された状態が示してある。図４において、左上の「タイトル」と表記されたウィンドウ内には検索された演習問題の標題が表示され、右上の「問題情報」と表記されたウィンドウ内には演習問題の検索データが表示されている。そして、「タイトル」ウィンドウ内で、内容を知りたい演習問題の標題を指定すると（白黒反転表示される）、下のウィンドウ内にその演習問題の内容が表示されるようになっている。
【００１７】
次に、演習問題選択部６によって、ディスプレイ１６に表示された演習問題から所望の演習問題が選択される（図２のＳ６参照）。このとき、この実施例では、選択された演習問題の内容がディスプレイ１６に表示されるようになっている。これは、図４の画面において、マウスによって、「タイトル」ウィンドウ内で所望の演習問題の標題を指定し（白黒反転表示させ）、画面中央の「選択」ボタンを押すことによって実行される。
【００１８】
演習問題選択部６によって演習問題が選択されたとき、選択演習問題情報記憶部７は、検索条件記憶部４に記憶された検索条件を選択された演習問題と関係づけて記録した一時ファイル８を作成するとともに、一時ファイル８のファイル名を記憶する（図２のＳ７参照）。
【００１９】
なお、この実施例では、演習問題選択部６によって演習問題が選択されると、選択された演習問題の標題とその検索データがディスプレイ１６に表示されるようになっている。この表示画面を図５に示した。図５の画面において、「タイトル」と表記されたウィンドウ内には選択された演習問題の標題が表示され、「問題情報」と表記されたウィンドウ内には演習問題の検索データが表示されている。また、この画面で、マウスによって、「タイトル」ウィンドウ内で演習問題の標題を指定し（白黒反転表示させ）、画面右下の「内容表示」ボタンを押すと、指定した演習問題の内容を表示させることができる。
【００２０】
検索条件を変更してさらに検索がされる場合には、図２のＳ２〜Ｓ７の処理が繰り返される（図２のＳ８参照）。一方、演習問題選択部６によって選択された演習問題の類題が検索される場合には（図２のＳ８、Ｓ９参照）、類題検索始動部９によって、類題検索する演習問題が指定され（図２のＳ１０参照）、指定された演習問題の一時ファイル８のファイル名が選択演習問題情報記憶部７から読み出され（図２のＳ１１参照）、その一時ファイル８に記録された検索条件が検索条件記憶部４に記憶される（図２のＳ１２参照）。そして、図２のＳ４〜Ｓ７の処理が繰り返される。
【００２１】
なお、この実施例では、類題検索は、図５の画面において、マウスによって、「タイトル」ウィンドウ内で演習問題の標題を指定し（白黒反転表示させ）、画面中央下の「類問追加」または「類問差替」ボタンを押すことによって実行される。
【００２２】
演習問題の検索および選択が終了してプリント教材の作成が完了すると、プリント教材ファイル作成部１０は、そのプリント教材の個々の演習問題の内容および検索条件を記録したＰｒｉｎＴファイル１１（プリント教材ファイル）を作成する。
【００２３】
このＰｒｉｎＴファイル１１がディスプレイ１６に出力されると、ディスプレイ１６画面にプリント教材の内容が表示され、ディスプレイ１６画面上でのプリント教材の編集が可能となる。また編集完了後、プリント教材を印刷することもできる。
【００２４】
ＰｒｉｎＴファイル１１の保存が必要な場合には（図２のＳ１３参照）、プリント教材ファイル制御部１２は、保存するファイル名を入力装置から取得し、プリント教材ファイル保存部１３に対してファイル保存命令を出す。プリント教材ファイル保存部１３は、ファイル保存命令を受けると、ＰｒｉｎＴファイル１１を指定されたファイル名で保存する（図２のＳ１４参照）。
【００２５】
第２に、最初にＰｒｉｎＴファイル１１が読み込まれる場合の処理の流れについて説明する。
すなわち、まず、プリント教材ファイル制御部１２は、読み込むファイル名を入力装置から取得し、プリント教材ファイル処理部１５に対しファイル読み込み命令を出す。プリント教材ファイル処理部１５は、ファイル読み込み命令を受けると、指定されたＰｒｉｎＴファイル１１を読み込む（図２のＳ１５参照）。
【００２６】
次いで、プリント教材ファイル処理部１５は、ＰｒｉｎＴファイル１１の内容に基づき、プリント教材の演習問題および検索データをディスプレイ１６に表示するとともに、プリント教材の演習問題の検索条件を、それぞれ、その演習問題と関係づけて個々の第２の一時ファイル１６に記録する（図２のＳ１６参照）。このとき、この実施例では、ディスプレイ１６に、図６に示した画面が表示される。図６において、外側のウィンドウ内には、プリント教材の内容が表示され、内側のウィンドウ内には、プリント教材の各演習問題の標題（「タイトル」と表記されたウィンドウ内）と演習問題の検索データ（「問題情報」と表記されたウィンドウ内）が表示されている。この場合、内側のウィンドウは、図５に示したウィンドウとほとんど同じ機能を有している。
【００２７】
そして、選択演習問題情報記憶部７は、第２の一時ファイル１６のそれぞれのファイル名を記憶する。その後は、図２のＳ８以降の処理が前と同様になされる。
【００２８】
このように、本発明によるプリント教材作成装置によれば、個々の演習問題の内容がその検索条件とともに記憶され、記憶された検索条件に基づいて類題検索が行われるので、プリント教材中の各演習問題に対する類題を検索して選択し、選択した類題を前の問題と差し替えたり、あるいは追加することが早く、簡単に行える。
【００２９】
【発明の効果】
以上のように、本発明によれば、プリント教材中の各演習問題に対する類題を検索して選択し、選択した類題を前の問題と差し替えまたは追加することが迅速かつ簡単に行える。
【図面の簡単な説明】
【図１】本発明の１実施例による、プリント教材作成装置のハードウェア構成図である。
【図２】図１のプリント教材作成装置によって実行される処理のフローチャートである。
【図３】図２の処理が実行される間にディスプレイ画面上になされる表示の代表例を示した図である。
【図４】図２の処理が実行される間にディスプレイ画面上になされる表示の代表例を示した図である。
【図５】図２の処理が実行される間にディスプレイ画面上になされる表示の代表例を示した図である。
【図６】図２の処理が実行される間にディスプレイ画面上になされる表示の代表例を示した図である。
【符号の説明】
１  演習問題記憶部
２  演習問題管理部
３  検索条件設定部
４  検索条件記憶部
５  検索部
６  演習問題選択部
７  選択演習問題情報記憶部
８  一時ファイル
９  類題検索始動部
１０  プリント教材ファイル作成部
１１  ＰｒｉｎＴファイル（プリント教材ファイル）
１２  プリント教材ファイル制御部
１３  プリント教材ファイル保存部
１４  プリント教材ファイル処理部
１５  第２の一時ファイル
１６  ディスプレイ
【図１】
0004059995.tif 000002
【図２】
0004059995.tif 000003
【図３】
0004059995.tif 000004
【図４】
0004059995.tif 000005
【図５】
0004059995.tif 000006
【図６】
0004059995.tif 000007